(57)【要約】【課題】  可動ノーズの傾倒動作や起立動作を円滑に行えてラットルノイズの発生も抑制できる車載用機器の前面パネル装置を提供すること。【解決手段】  可動ノーズ１２の側面の上部に突設した支軸１７にガイドローラ１３を取り付けると共に、このガイドローラ１３の取付位置よりも基端側で該支軸１７にゴム等からなる環状部材１４を取り付け、これらガイドローラ１３と環状部材１４とを互いに独立して回転できるようにした。この環状部材１４は前面パネル１１のガイド壁１１ｂに圧接させるためのものであり、ガイド壁１１ｂからの反力でガイドローラ１３をガイド溝１６の側壁（前縁部）に押し当てることができる。また、ガイドローラ１３がガイド溝１６の該側壁に位置規制されながら一方向へ回転（転動）するとき、環状部材１４はガイド壁１１ｂに位置規制されながら他方向へ回転（転動）する。【選択図】      図１
2005059778.tif 000002
【特許請求の範囲】
【請求項１】
本体装置の前面部に固設され、かつ両側部に上下方向へ延びるガイド溝を有する前面パネルと、この前面パネルの前方に配置され、かつ両側面の上部に突設した支軸に回動自在なガイドローラを取り付けて該ガイドローラを前記ガイド溝に挿入させた可動ノーズと、この可動ノーズの下部を前後方向へ駆動する駆動手段とを備え、前記可動ノーズが起立姿勢と傾倒姿勢との間で移動可能な車載用機器の前面パネル装置において、
前記可動ノーズに前記ガイドローラとは独立して回転する環状部材を設け、この環状部材を前記前面パネルの壁面に当接させることにより、前記ガイドローラを前記ガイド溝の側壁に当接させるように構成したことを特徴とする車載用機器の前面パネル装置。
【請求項２】
請求項１の記載において、前記可動ノーズと前記環状部材の少なくとも一方の部材が弾性材から形成されており、該一方の部材が前記ガイド溝の側壁または前記前面パネルの壁面に弾接することにより、その反力で他方の部材が前記前面パネルの壁面または前記ガイド溝の側壁に当接することを特徴とする車載用機器の前面パネル装置。
【請求項３】
請求項１または２の記載において、前記環状部材は前記ガイドローラの取付位置よりも基端側で前記支軸に回転自在に取り付けられていることを特徴とする車載用機器の前面パネル装置。
【請求項４】
請求項３の記載において、前記ガイドローラと前記環状部材との間にすべり摩擦係数の小なる高滑性部材を介在させたことを特徴とする車載用機器の前面パネル装置。
【請求項５】
請求項１〜４のいずれかの記載において、前記支軸の基端部に曲げワッシャを外挿し、この曲げワッシャが前記ガイドローラを軸線方向へ弾性付勢するようにしたことを特徴とする車載用機器の前面パネル装置。
【請求項６】
請求項１〜５のいずれかの記載において、前記環状部材は前記ガイド溝の上部の近傍で前記前面パネルの壁面に当接し、前記可動ノーズが所定角度を越えて傾倒すると該環状部材は該前面パネルに対して非接触となるようにしたことを特徴とする車載用機器の前面パネル装置。
【発明の詳細な説明】
【技術分野】
【０００１】
本発明は、車載用の音響機器や映像機器等で本体装置の前面部に組み付けられる前面パネル装置に係り、特に、前後方向へ駆動されて起立姿勢と傾倒姿勢とが選択可能な可動ノーズを備えた車載用機器の前面パネル装置に関する。
【背景技術】
【０００２】
一般的に、車載用として組み込まれている音響機器や映像機器では、本体装置の前面部に固設された前面パネルに、各種操作キーや表示部およびメディア挿入口等が配設されているが、近年の多機能化に伴って表示部が大型化したり操作キーの数が増加してくると、これら表示部や操作キーおよびメディア挿入口等のすべてを前面パネルの限られたスペース内に配置させることは困難となってくる。
【０００３】
そのため従来より、前面パネルの前方に起立姿勢と傾倒姿勢とが選択可能な可動ノーズを配置し、この可動ノーズが起立しているときには前面パネルのメディア挿入口が覆い隠され、可動ノーズをある程度傾倒させると該メディア挿入口が露出するように構成した前面パネル装置が種々提案されている。このような前面パネル装置において、本体装置の前面部に固設された前面パネルには、両側部に上下方向へ延びるガイド溝が形成されており、このガイド溝に可動ノーズの両側面の上部に付設したガイドローラが挿入されている。また、可動ノーズの両側面の下部には、本体装置に対して前後方向に往復移動可能なスライダが回動自在に連結されており、このスライダをモータを駆動源として前後進させることにより可動ノーズの姿勢が変更できるようになっている。
【０００４】
すなわち、スライダが後退位置に引き込まれているとき、可動ノーズは起立姿勢に保持されているため、前面パネルのメディア挿入口は可動ノーズに覆い隠されている。この状態でモータを一方向へ回転させてスライダを前進させると、可動ノーズの下部はスライダと共に前進するが、ガイドローラがガイド溝に沿って移動するため可動ノーズの上部は下降していき、それゆえ可動ノーズは下部側が前方へせり出すことになって次第に傾倒していく。そして、可動ノーズがある程度傾倒すると前面パネルのメディア挿入口が露出するので、該挿入口内へＣＤやＤＶＤ等のメディアを挿入したり該挿入口からメディアを排出させることが可能となる。また、こうして可動ノーズが傾倒姿勢に保持されている状態で、モータを逆方向へ回転させてスライダを後退させると、可動ノーズの下部が後退して上部が上昇していくため、次第に可動ノーズは起立していき、可動ノーズがある程度起立すると前面パネルのメディア挿入口が覆い隠される。
【０００５】
このように可動ノーズを備えた前面パネル装置においては、起立状態の可動ノーズの全面を表示領域やキー操作領域として活用することができ、メディアの挿入時や排出時のみ可動ノーズを傾倒させてメディア挿入口を露出させればよいので、限られたスペース内に比較的大型の表示部や多数の操作キーを配設できるという利点がある。しかしながら、可動ノーズは傾倒動作時や起立動作時に、その両側面の上部に付設されている回動自在なガイドローラが前面パネルのガイド溝によって上下方向に案内されるようになっているため、ガイドローラとガイド溝との間にクリアランスが必要であり、このクリアランスに起因するガタによってガイドローラが異音の発生源になりやすいという難点があった。つまり、クリアランスを確保しつつガイドローラをガイド溝内に挿入しているため、ガイドローラはガイド溝の側壁から離れた状態になりやすく、その場合、外部から振動が作用するとガイドローラがガイド溝の側壁に衝突してラットルノイズと称される異音を発生してしまう。
【０００６】
そこで従来、こうした異音の発生を抑制するため、ガイドローラの一部に被着させたゴム等の弾性部材の弾性力を利用して該ガイドローラをガイド溝の側壁に当接させるように構成した前面パネル装置が提案されている（例えば特許文献１参照）。
【０００７】
図１１はかかる従来技術を説明するためのもので、可動ノーズ１の左右両側面の上部に突設された支軸２にガイドローラ３が回動自在に取り付けられており、このガイドローラ３の大径部にゴム製カバー４が嵌合によって被着されている。可動ノーズ１は、図示せぬ本体装置の前面部に固設された前面パネル（エスカッション）５の前方に配置されており、前面パネル５の左右両側には前方へ突出する側板部５ａが設けられている。この側板部５ａには上下方向（図１１では紙面に直交する方向）へ延びるガイド溝６が形成されており、可動ノーズ１に付設されたガイドローラ３がクリアランスを確保しつつ該ガイド溝６内に挿入されている。また、前面パネル５には側板部５ａの近傍にガイド壁５ｂが形成されており、ガイドローラ３に一体化されたゴム製カバー４が該ガイド壁５ｂに弾接している。そのため、ガイド壁５ｂからの反力がゴム製カバー４を介してガイドローラ３に作用しており、この反力でガイドローラ３はガイド溝６の側壁（前縁部）に押し当てられている。
【０００８】
なお、図示省略されているが、可動ノーズ１の左右両側面の下部には本体装置に対して前後方向に往復移動可能なスライダが回動自在に連結されており、このスライダをモータを駆動源として前後進させることにより、可動ノーズ１の傾倒動作や起立動作が行えるようになっている。つまり、可動ノーズ１が起立姿勢に保持されているときにスライダを駆動して前進させると、可動ノーズ１は下部側が前方へせり出していくが、上部側は支軸２がガイドローラ３を介してガイド溝６に案内されながら下降していくので、全体として可動ノーズ１は次第に傾倒していく。また、可動ノーズ１が傾倒姿勢に保持されているときにスライダを駆動して後退させると、可動ノーズ１はせり出していた下部側が後退するが、上部側は支軸２がガイドローラ３を介してガイド溝６に案内されながら上昇していくので、全体として可動ノーズ１は次第に起立していく。
【特許文献１】特開平９−３０９３８８号公報（第２−３頁、図３）
【発明の開示】
【発明が解決しようとする課題】
【０００９】
図１１に示す従来提案では、可動ノーズ１の支軸２をガイド溝６に沿って移動させるためのガイドローラ３にゴム製カバー４を取り付け、ガイドローラ３をガタのない状態でガイド溝６と係合させることにより、外部から振動が作用したときに懸念される異音（ラットルノイズ）の発生を抑制しているが、このゴム製カバー４は可動ノーズ１の傾倒動作時や起立動作時にガイドローラ３と一体的に回転するため、ガイド壁５ｂとの間に不所望な摺動抵抗を生じやすいという問題があった。すなわち、ガイドローラ３およびゴム製カバー４の回転中心線が、ガイドローラ３が当接しているガイド溝６の側壁（前縁部）と、ゴム製カバー４が当接しているガイド壁５ｂとの間に存する関係上、可動ノーズ１の傾倒動作時や起立動作時にガイド溝６の該側壁に位置規制されながらガイドローラ３が転動すると、ゴム製カバー４はガイド壁５ｂに対しての転動とは逆向きに回転しながら移動しなければならず、それゆえ両者４，５ｂ間には比較的大きな摺動抵抗が生じてしまう。その結果、可動ノーズ１の傾倒動作や起立動作が円滑に行えなくなる虞があり、可動ノーズ１の駆動源であるモータの負荷も増大してしまう。
【００１０】
本発明は、このような従来技術の実情に鑑みてなされたもので、その目的は、可動ノーズの傾倒動作や起立動作を円滑に行えてラットルノイズの発生も抑制できる車載用機器の前面パネル装置を提供することにある。
【課題を解決するための手段】
【００１１】
本発明は、可動ノーズの側面の上部に突設した支軸にガイドローラを取り付けると共に、この可動ノーズに環状部材を取り付け、これらガイドローラと環状部材を互いに独立して回転できるようにした。この環状部材は前面パネルの壁面に当接させるためのものであり、該壁面からの反力でガイドローラをガイド溝の側壁に押し当てることができる。また、ガイドローラがガイド溝の側壁に位置規制されながら一方向へ回転（転動）するとき、環状部材は前面パネルの壁面に位置規制されながら他方向へ回転（転動）する。
【発明の効果】
【００１２】
本発明による車載用機器の前面パネル装置は、可動ノーズの支軸に設けたガイドローラと独立して回転する環状部材をこの可動ノーズに取り付けてあり、環状部材を前面パネルの壁面に当接させることによってガイドローラをガイド溝の側壁に当接させることができるので、外部から振動が作用したときに懸念される異音（ラットルノイズ）の発生を抑制することができる。また、ガイドローラと環状部材を互いに独立して回転できるようにしてあるため、環状部材と前記壁面との間に不所望な摺動抵抗が発生する虞がなくなり、可動ノーズの傾倒動作や起立動作を常に円滑に行うことができる。
【発明を実施するための最良の形態】
【００１３】
本発明は、本体装置の前面部に固設され、かつ両側部に上下方向へ延びるガイド溝を有する前面パネルと、この前面パネルの前方に配置され、かつ両側面の上部に突設した支軸に回動自在なガイドローラを取り付けて該ガイドローラを前記ガイド溝に挿入させた可動ノーズと、この可動ノーズの下部を前後方向へ駆動する駆動手段とを備え、前記可動ノーズが起立姿勢と傾倒姿勢との間で移動可能な車載用機器の前面パネル装置において、前記可動ノーズに前記ガイドローラとは独立して回転する環状部材を設け、この環状部材を前記前面パネルの壁面に当接させることにより、前記ガイドローラを前記ガイド溝の側壁に当接させるように構成した。
【００１４】
このように構成された前面パネル装置は、可動ノーズの支軸に設けたガイドローラと独立して回転する環状部材をこの可動ノーズに取り付けてあり、環状部材を前面パネルの壁面に当接させることによってガイドローラをガイド溝の側壁に当接させることができるので、外部から振動が作用したときに懸念される異音（ラットルノイズ）の発生を抑制することができる。また、ガイドローラと環状部材を互いに独立して回転できるようにしてあるため、環状部材と前記壁面との間に不所望な摺動抵抗が発生する虞がなくなり、可動ノーズの傾倒動作や起立動作を常に円滑に行うことができる。
【００１５】
上記の構成において、可動ノーズと環状部材の少なくとも一方の部材が弾性材から形成されており、該一方の部材がガイド溝の側壁または前面パネルの壁面に弾接することにより、その反力で他方の部材が前面パネルの壁面またはガイド溝の側壁に当接することが好ましく、また、環状部材がガイドローラの取付位置よりも基端側で支軸に回転自在に取り付けられていることが好ましい。
【００１６】
また、上記の構成において、ガイドローラと環状部材との間にすべり摩擦係数の小なる高滑性部材を介在させておけば、ガイドローラと環状弾性部を互いに独立して回転させる機構が簡単に実現できるため好ましい。
【００１７】
また、上記の構成において、支軸の基端部に曲げワッシャを外挿し、この曲げワッシャがガイドローラを軸線方向へ弾性付勢するようにしておけば、環境温度の変化に伴って前面パネルが膨張収縮したときに、ガイドローラが軸線方向にガタを生じたり過度に加圧されてしまう心配がなくなるため、高温時や低温時の信頼性が向上する。ただし、曲げワッシャを具備しない構成であっても、ゴム等からなる環状部材を軸線方向に弾性変形させることによって、前面パネルの膨張収縮に起因するガタや加圧力を吸収することは可能である。
【００１８】
また、上記の構成において、環状部材がガイド溝の上部の近傍で前面パネルの壁面に当接し、可動ノーズが所定角度を越えて傾倒すると環状部材は面パネルに対して非接触となるようにしておけば、可動ノーズが大きく傾倒してラットルノイズがほとんど問題とならないときに、駆動源であるモータの負荷を減らすことができるため好ましい。
【実施例】
【００１９】
以下、発明の実施例を図面を参照して説明すると、図１は本発明の第１実施例に係る前面パネル装置の要部断面図、図２は同実施例で可動ノーズを起立させた状態を示す説明図、図３は図２の要部拡大図、図４は同実施例で可動ノーズの側面上部を示す斜視図、図５は図４に対応する分解斜視図、図６は同実施例で可動ノーズを若干量傾倒させた状態を示す説明図、図７は該可動ノーズを最大量傾倒させた状態を示す説明図である。
【００２０】
これらの図に示す前面パネル装置は、車載用の音響機器や映像機器等で本体装置１０の前面部に組み付けられた装置であり、本体装置１０の前面部に固設された前面パネル（エスカッション）１１と、この前面パネル１１の前方に配置されて起立姿勢と傾倒姿勢とを選択可能な可動ノーズ１２と、この可動ノーズ１２の左右両側面に付設されているガイドローラ１３およびゴム製リング（環状部材）１４と、本体装置１０に対して前後方向に往復移動可能なスライダ１５と、図示せぬ歯車列を介してスライダ１５を前後進させる駆動源である図示せぬモータとによって主に構成されている。
【００２１】
前面パネル１１にはＣＤやＤＶＤ等のメディアを挿入・排出するための図示せぬメディア挿入口が開設されており、また、前面パネル１１の左右両側には前方へ突出する側板部１１ａが設けらている。この側板部１１ａには上下方向へ延びるガイド溝１６が形成されていると共に、側板部１１ａの基端と隣接する位置にガイド壁１１ｂが形成されている。可動ノーズ１２には左右両側面の上部に支軸１７が突設されており、支軸１７の先端側に取り付けられた回動自在なガイドローラ１３がガイド溝１６内に挿入されている。また、支軸１７のやや大径な基端側には、ガイドローラ１３とは独立して回転するゴム製リング１４と、ゴム製リング１４を軸線方向両側から挟む一対のワッシャ１８，１９とが取り付けてある。そして、ゴム製リング１４がガイド壁１１ｂに圧接（弾接）させてあるため、このガイド壁１１ｂからの反力でガイドローラ１３はガイド溝１６の側壁（前縁部）に押し当てられている。ワッシャ１８，１９はすべり摩擦係数の小なる合成樹脂等の高滑性部材であり、一方のワッシャ１８が可動ノーズ１２の側面とゴム製リング１４との間に介在し、他方のワッシャ１９がゴム製リング１４とガイドローラ１３との間に介在している。また、可動ノーズ１２の左右両側面の下部はスライダ１５の前端部と回動自在に連結されており、このスライダ１５を前記モータを駆動源として前後進させることにより、可動ノーズ１１の傾倒動作や起立動作が行えるようになっている。なお、図示省略されているが、可動ノーズ１２の前面には比較的大型の表示部や多数の操作キーが配設されている。
【００２２】
このように構成された前面パネル装置において、図２に示すようにスライダ１５が後退位置に引き込まれているとき、可動ノーズ１２は起立姿勢に保持されているため、前面パネル１１のメディア挿入口は可動ノーズ１２に覆い隠されている。この状態で前記モータを一方向へ回転させてスライダ１５を前進させると、可動ノーズ１２の下部はスライダ１５と共に前進するが、可動ノーズ１２の上部は支軸１７がガイドローラ１３を介してガイド溝１６に案内されながら下降していくので、全体として可動ノーズ１２は次第に傾倒していく。そのため、可動ノーズ１２の表示部をモニタ画面として見る場合等には、図６に示すように、可動ノーズ１２を若干量傾倒させた状態に保持しておけばよい。また、メディアの挿入や排出を行う場合には、図７に示すように、可動ノーズ１２を大きく傾倒させて前面パネル１１のメディア挿入口を露出させればよい。さらに、こうして可動ノーズ１２が傾倒姿勢に保持されている状態で、前記モータを逆方向へ回転させてスライダ１５を後退させると、可動ノーズ１２の下部が後退して上部が上昇していくため、次第に可動ノーズ１２は起立していき、可動ノーズ１２がある程度起立した時点で前面パネル１１のメディア挿入口は覆い隠される。ただし、図６，７から明らかなように、ゴム製リング１４はガイド溝１６の上部の近傍でガイド壁１１ｂに弾接し、可動ノーズ１２が所定角度を越えて傾倒するとゴム製リング１４は前面パネル１１に対して非接触となる。
【００２３】
上述した第１実施例では、ゴム製リング１４をガイド壁１１ｂに弾接させることによってガイドローラ１３をガイド溝１６の側壁（前縁部）に当接させることができるため、ガイドローラ１３をガタのない状態でガイド溝１６と係合させることができる。この場合、外部から振動が作用しても異音（ラットルノイズ）は発生しにくい。ただし、ラットルノイズが問題となるのは可動ノーズ１２が起立しているときや傾倒角度が小さいときであり、可動ノーズ１２が大きく傾倒しているときにはラットルノイズはほとんど問題とならないので、本実施例ではゴム製リング１４と当接可能なガイド壁１１ｂを前面パネル１１の上部側だけに形成してある。これにより、可動ノーズ１２が大きく傾倒したときにはゴム製リング１４は前面パネル１１に接触しなくなるため、駆動源であるモータの負荷を低減することができる。
【００２４】
また、本実施例では、可動ノーズ１２の支軸１７に取り付けられているガイドローラ１３とゴム製リング１４とが互いに独立して回転するため、ガイドローラ１３がガイド溝１６の側壁に位置規制されながら一方向へ回転（転動）するとき、ゴム製リング１４はガイド壁１１ｂに位置規制されながら他方向へ回転（転動）し、ゴム製リング１４とガイド壁１１ｂとの間に不所望な摺動抵抗は発生せず、それゆえ可動ノーズ１２の傾倒動作や起立動作を常に円滑に行うことができる。
【００２５】
なお、本実施例では、可動ノーズ１２の側面とゴム製リング１４との間、およびゴム製リング１４とガイドローラ１３との間に、それぞれ高滑性なワッシャ１８，１９が介設してあるので、ガイドローラ１３とゴム製リング１４を互いに独立して回転させる機構が簡単に実現されている。
【００２６】
図８は本発明の第２実施例に係る前面パネル装置の要部断面図、図９は同実施例で可動ノーズの側面上部を示す斜視図、図１０は図９に対応する分解斜視図であり、図１〜図７と対応する部分には同一符号を付してある。
【００２７】
図８〜図１０に示す前面パネル装置は、支軸１７の基端部に曲げワッシャ２０が外挿してあり、この曲げワッシャ２０によってガイドローラ１３を軸線方向へ弾性付勢している点が、前述した第１実施例と大きく異なっている。また、本実施例の場合、ゴム製リング１４がボビン形状の高滑性部材２１に外嵌させてあり、この高滑性部材２１をガイドローラ１３と曲げワッシャ２０が軸線方向両側から挟み込んでいる。このような構成にすると、環境温度の変化に伴って前面パネル１１が膨張収縮したときに、ガイドローラ１２が軸線方向にガタを生じたり過度に加圧されてしまう心配がなくなるため、高温時や低温時の信頼性が向上する。ただし、曲げワッシャ２０を具備しない第１実施例のような構成であっても、ゴム製リング１４の軸線方向の弾性変形によって前面パネル１１の膨張収縮に起因するガタや加圧力を吸収することは可能である。
【００２８】
上記各実施例では、ガイドローラと独立して回転する環状部材として、ゴム製リングを使用したものを示したが、環状部材は弾性体で形成されたものに限らず、合成樹脂製等のリングであっても良い。この場合は、ガイドローラを弾性体で形成するか、あるいは環状部材を別体の付勢部材によって前面パネルのガイド壁に圧接させれば良い。また、環状部材は必ずしもガイドローラの回転支軸上に設ける必要はなく、例えば、可動ノーズの後面に回転自在に配置させても良い。
【図面の簡単な説明】
【００２９】
【図１】本発明の第１実施例に係る前面パネル装置の要部断面図である。
【図２】第１実施例で可動ノーズを起立させた状態を示す説明図である。
【図３】図２の要部拡大図である。
【図４】第１実施例で可動ノーズの側面上部を示す斜視図である。
【図５】図４に対応する分解斜視図である。
【図６】第１実施例で可動ノーズを若干量傾倒させた状態を示す説明図である。
【図７】該可動ノーズを最大量傾倒させた状態を示す説明図である。
【図８】本発明の第２実施例に係る前面パネル装置の要部断面図である。
【図９】第２実施例で可動ノーズの側面上部を示す斜視図である。
【図１０】図９に対応する分解斜視図である。
【図１１】従来技術を示す説明図である。
【符号の説明】
【００３０】
１０  本体装置
１１  前面パネル
１１ａ  側板部
１１ｂ  ガイド壁
１２  可動ノーズ
１３  ガイドローラ
１４  ゴム製リング（環状部材）
１５  スライダ
１６  ガイド溝
１７  支軸
１８，１９  ワッシャ（高滑性部材）
２０  曲げワッシャ
２１  高滑性部材
【図１】
2005059778.tif 000003
【図２】
2005059778.tif 000004
【図３】
2005059778.tif 000005
【図４】
2005059778.tif 000006
【図５】
2005059778.tif 000007
【図６】
2005059778.tif 000008
【図７】
2005059778.tif 000009
【図８】
2005059778.tif 000010
【図９】
2005059778.tif 000011
【図１０】
2005059778.tif 000012
【図１１】
2005059778.tif 000013